(57)【要約】【課題】建築用構成材を用いた床構造及びその施工方法を提案する。【解決手段】本発明の床構造は、大引き、小梁８などの上に、立ち上がり部４１と上フランジ４２を備える建築用構成材４Ａを設置し、上フランジ４１に床材９を設ける床構造において、建築用構成材４Ａは、立ち上がり部４１と、立ち上がり部の上端から延出する上フランジ４２と、立ち上がり部４１の下端から延出する下フランジ４３を予め一体的に設け、建築用構成材４Ａの上フランジ４２には床材９を設置すると共に、床材９裏面の空間部には、断熱、吸音、遮音、防耐火、或いは暖房機能などを有する機能性体５Ａの下面端部を下フランジ４３に支持させるように配設した【選択図】  図１
2004232415.tif 000002
【特許請求の範囲】
【請求項１】
大引き、小梁などの上に、立ち上がり部と上フランジを備える建築用構成材を設置し、上フランジに床材を設ける床構造において、
建築用構成材は、立ち上がり部と、立ち上がり部の上端から延出する上フランジと、立ち上がり部の下端から延出する下フランジを予め一体的に設け、
大引き、小梁上に建築用構成材を設置し、建築用構成材の上フランジには床材を設置すると共に、床材裏面の空間部には、断熱、吸音、遮音、防耐火、或いは暖房機能などを有する機能性体の下面端部を下フランジに支持させるように配設したことを特徴とする床構造。
【請求項２】
立ち上がり部には通孔が設けられていることを特徴とする請求項１に記載の床構造。
【請求項３】
大引き、小梁などの上に、立ち上がり部と上フランジを備える建築用構成材を設置し、上フランジに床材を設ける床構造の施工方法において、
建築用構成材は、立ち上がり部と、立ち上がり部の上端から延出する上フランジと、立ち上がり部の下端から延出する下フランジを予め一体的に設け、
大引き、小梁上に建築用構成材を設置し、床材裏面の空間部には、断熱、吸音、遮音、防耐火、或いは暖房機能などを有する機能性体の下面端部を下フランジに支持させるように配設した後、建築用構成材の上フランジには床材を設置することを特徴とする床構造の施工方法。
【発明の詳細な説明】
【０００１】
【発明の属する技術分野】
本発明は、建築用構成材を用いた床構造及びその施工方法に関する。
【０００２】
【従来の技術】
従来の床構造は、多くの場合、床材裏面に必要に応じて断熱材、防音材等の各種機能性材料を設けている。
例えば断熱材は、施工時には、大引きの上に配置された根太と根太の間に敷きつめているが、通常大引きと大引きの間隔が長く、床用断熱材自体ではその形状を保持できずに垂れが生じてしまうため、例えば網状の断熱材受けを敷きつめて大引きと大引きの間に橋渡する下地作業を別途必要としていた。
また、網状の断熱材受けを用いずに断熱材を配する構造も提案されている（例えば特許文献１など）。
【０００３】
【特許文献１】
特開平５−１５７２６６号公報（段落番号００１４〜００２７，図１〜１０）
【０００４】
特許文献１は、夫々の根太の側面に固定される支持部材を備え、これら支持部材の下部に形成された断熱材支持片で断熱材を支持して成る構成の床面暖房構造である。
【０００５】
【発明が解決しようとする課題】
しかしながら、前記特許文献１では、根太の側面に支持部材を別途設ける必要があり、また支持部材を根太にねじや釘などで固定する作業も面倒であった。
そこで、本発明では上記問題点に鑑み、断熱材、防音材等の各種機能性材料を容易に敷設することができる床構造を提供することを目的とする。
【０００６】
【課題を解決するための手段】
本発明は、上記に鑑み提案されたもので、大引き、小梁などの上に、立ち上がり部と上フランジを備える建築用構成材を設置し、上フランジに床材を設ける床構造において、建築用構成材は、立ち上がり部と、立ち上がり部の上端から延出する上フランジと、立ち上がり部の下端から延出する下フランジを予め一体的に設け、建築用構成材の上フランジには床材を設置すると共に、床材裏面の空間部には、断熱、吸音、遮音、防耐火、或いは暖房機能などを有する機能性体の下面端部を下フランジに支持させるように配設したことを特徴とする床構造に関するものである。
【０００７】
また、本発明は、大引き、小梁などの上に、立ち上がり部と上フランジを備える建築用構成材を設置し、上フランジに床材を設ける床構造の施工方法において、建築用構成材は、立ち上がり部と、立ち上がり部の上端から延出する上フランジと、立ち上がり部の下端から延出する下フランジを予め一体的に設け、大引き、小梁上に建築用構成材を設置し、床材裏面の空間部には、断熱、吸音、遮音、防耐火、或いは暖房機能などを有する機能性体の下面端部を下フランジに支持させるように配設した後、建築用構成材の上フランジには床材を設置することを特徴とする床構造の施工方法をも提案するものである。
【０００８】
【発明の実施の形態】
本発明における建築用構成材（以下、単に構成材という）４は、図１，２に用いた構成材４Ａ，４Ｂや図３に示す構成材４Ｃ、或いは図４（ｇ），（ｈ）に示す構成材４Ｈ，４Ｉのように一枚の金属板をロール成形等により成形・加工、或いはアルミ押出し等の型成形により成形した、上フランジ、立ち上がり部、下フランジが連続する一部材からなる構成でも良いし、後述するようなそれぞれ別々に成形・加工された二部材或いはそれ以上の別部材（２，３，４６，４７）を、ボルト・ナット、ビス等による締着、溶接、かしめ等の各種一体化手段により予め一体化したものでも良く、前述のように立ち上がり部４１と上フランジ４２と下フランジ４３を備え、少なくとも現場での施工前に一体化されている構成である。
尚、図面上には符号４は付記していないが、本発明における構成材を総称的に指す説明にて用いる。機能性体５についても同様である。
【０００９】
図１に用いた構成材４Ａは、一部材からなり、立ち上がり部４１は、第１立ち上がり部１１１と第２立ち上がり部１２１とが隙間無く対向状に重合（左右に並列）して形成されている。上フランジ４２は、第１立ち上がり部１１１の上端から左右方向の一方側へ延出する第１上フランジ１１２に第２立ち上がり部１２１の上端から左右方向の一方側へ延出する第２上フランジ１２２が被覆するように重合（上下に積層）して形成されている。下フランジ４３は、第１立ち上がり部１１１の下端から左右方向の一方側へ延出する第１下フランジ１１３と第２立ち上がり部の下端から左右方向の他方側へ延出する第２下フランジ１２３とが同一平面上に並列して形成されている。
【００１０】
尚、前述のように本発明に用いる構成材４は、立ち上がり部４１と上フランジ４２と、下フランジ４３とからなるが、立ち上がり部４１は、単一片であっても良いし、図１に用いた構成材４Ａのように第１立ち上がり部１１１に第２立ち上がり部１２１が隙間無く対向するように重合（左右に並列）して形成されても良いし、図２に用いた構成材４Ｂのように第１立ち上がり部１１１と第２立ち上がり部１２１が隙間を介して対向状に重合（左右に並列）して形成されても良い。
このような隙間には、熱損失の軽減（気密性保持）を行うための断熱材や防音材などの各種の定形、不定形の充填材を充填するようにしても良い。こうして断熱、吸音、遮音、防耐火等の機能性を有する充填材を基本的に長手方向の全部に亘って充填することにより、立ち上がり部４１が断熱、吸音、遮音、防耐火等の損失部分とならないようにすることができる。
さらに、上フランジ４２は、図１，２に用いた構成材４Ａ，４Ｂや図３に示す構成材４Ｃのように左右方向の一方側のみに形成されるものでも良いし、図５（ｅ），（ｆ）に示す構成材４Ｐ，４Ｑのように左右方向の両側に形成されるものでも良い。
また、下フランジ４３は、基本的には左右方向の両方に設けられるが、一方のみで良い場合もある。
【００１１】
さらに、図示実施例の構成材４Ａの立ち上がり部４１には、長手方向に沿って適宜間隔で通孔４１１（開口部）を設け、受け材を支持する取付孔としても良いし、建築物としての電気配線、その他の配線・配管などを通すための貫通孔としても良いし、後述する第１構成材部２及び第２構成材部３を一体化させるためのボルト孔、或いは大引き・小梁８等に固定したＬ型、Ｔ型のアングル材を固定するためのボルト孔として用いても良い。また、このような開口部の形状は目的に併せて円形、長方形、楕円形など適宜決定すれば良い。例えばボルト孔としての開口部を長手方向に細長く設ければ、ボルト止めの際に位置決めの微調整が可能となる。また、開口部は空気の連通路にもなる。
【００１２】
また、本発明の床構造に用いる機能性体５は、断熱、吸音、遮音、防耐火、或いは暖房機能などを有するものであって、その施工状態においては、下面端部が前記構成材４の下フランジ４３に支持されるものである。断熱、吸音、遮音、防耐火などの機能性材料としては、各種ボード状、マット状の公知の材料を用いることができる。また、暖房機能などを有する機能性体としては、ボード状に作製されたものや、薄いシート状の基盤に熱源を貼り付けた面状ヒータ、或いは断熱材の上に温水パイプを配置した温水式床暖房などの暖房装置がある。
この機能性体５の施工状態において、その上面は図１、図２の各実施例のように床材９の裏面に当接しても良いし、近接しても良いし、或いは離間していても良い。また、図１に示す実施例のように単一の機能性体５（５Ａ）を配しても良いし、複数のものを積層して配しても良く、複数積層する場合は同一材でも良いし、異材でも良い。機能性体５を複数積層させる場合、断熱、吸音、遮音、防耐火等の機能性材料同士を積層させても良いし、図２に示す実施例のように機能性材料（５Ｃ）と暖房装置のような機能性装置（５Ｂ）を組み合わせるようにしても良く目的にあわせて適宜選択すれば良い。
【００１３】
そして、図１に示す実施例では、まず構成材４Ａ，４Ａを所定間隔を隔てて大引き・小梁８に固定した後、構成材４Ａの下フランジ４３上にグラスウール、発泡樹脂等からなる断熱材である機能性体５Ａの下面端部を支持させるように配設する。
尚、この実施例に用いた断熱材である機能性体５Ａの厚みは、予め構成材４Ａの立ち上がり部４１の高さと略同一としたので、機能性体５Ａの上面と上フランジ４２の上面とが面一状となる。
そして、構成材４Ａの上フランジ４２上に床材９を設置する。
この床材９は、特にその構成を限定するものではなく、例えば内装用としては複数の木製床板からなるものや、予めボード状に組み合わせたものが挙げられるが、外装用、防水用など、用途に応じて選択される公知のどのような床材を用いても良い。
【００１４】
このように本発明の床構造及びその施工方法は、従来の根太や支持部材に代えて特定の構成を有する構成材４を用いて施工するものであって、構成材４に下フランジ４３を設けて機能性体５の下面端部を下フランジ４３に支持させているので、機能性体５を容易に敷設することができる。したがって、従来の大引き上に根太を固定して床構造を形成する構造（方法）や根太の側面に支持部材を固定して床構造を形成する構造（方法）などに比べて、容易に床構造を施工することができる。
【００１５】
特に図示実施例では、構成材４Ａの立ち上がり部４１の高さと厚みが略等しい厚みの機能性体５Ａを用いたので、即ち上面が床材９裏面に接すると共に下面端部が下フランジ４３に支持される断熱材である機能性体５Ａを配設したので、床材９にかかる圧力を機能性体５Ａで受支することができる。
【００１６】
図２に示す実施例は、隙間を有する立ち上がり部４１を備える構成材４Ｂを用い、該構成材４Ｂは、大引き・小梁８上に固定されたＬ型アングル材８０を介して固定され、隣接する構成材４Ｂ，４Ｂ間に、ボード状の暖房装置である機能性体５Ｂと、断熱材である機能性体５Ｃを積層して配設した構成である。それ以外は、前記図１の床構造と略同様であるから同一符号を図面に付して説明を省略する。
この図２に用いた構成材４Ｂは、立ち上がり部４１に、長手方向に沿って適宜間隔で通孔４１１（開口部）を設け、該通孔４１１を、上側に配する機能性体５Ｂとして用いた暖房装置の電気配線５１を通すための貫通孔とすると共に、立ち上がり部４１の隙間に挿入して変形を防止するプレート状の補強用部材４６を一体化させるためのボルト孔とし、さらには下地８に固定したＬ型アングル材８０を固定するためのボルト孔として用いた。
また、ボード状の暖房装置である機能性体５Ｂと、断熱材である機能性体５Ｃとの合計厚みは、予め構成材４Ｂの立ち上がり部４１の高さと略同一としたので、機能性体５Ｂの上面と上フランジ４２の上面とが面一状となり、前記図１の実施例における機能性体５Ａと同様に床材９にかかる圧力を機能性体５Ｂ（及び機能性体５Ｃ）にて受支することができる。
尚、暖房装置は、図示するような電気配線５１で連結された電気的な暖房でも良いし、温水パイプで連結されるような温水による暖房でも良い。
【００１７】
この実施例では、構成材４Ｂの立ち上がり部４１に通孔４１１を設けたので、前述のように電気配線５１を通すための貫通孔、補強用部材４６やＬ型アングル材８０を固定するためのボルト孔として有効に利用することができ、施工が容易となり、現場での穴開け作業の手間が省ける。
そして、機能性体５Ｂとして暖房装置を設けたので、暖房効果を有する床構造が得られる。
【００１８】
図３に示す構成材４Ｃは、立ち上がり部４１に、長手方向に沿って適宜間隔で円形状の通孔４１１（開口部）が設けられたものである。
【００１９】
図４は、本発明に用いる構成材４のその他の態様を示すものであり、図４（ａ）〜（ｆ）に示す構成材４Ｅ〜４Ｈは、それぞれ別々に成形・加工された別部材（第１構成材部２，第２構成材部３）を、ビス、ボルト・ナット等の固定具による接続、溶接、かしめ等の各種一体化手段により一体化したものである。尚、図４は図１（ａ），図２（ａ）に対して２倍スケールで表記した。
図４（ａ）に示す構成材４Ｅは、前記図１〜３等に用いた構成材４Ａと同一の断面形状を有するが、第２構成材部３の第２上フランジ３２の先端で第１構成材部２と線接合して一体化されている。
図４（ｂ）に示す構成材４Ｆは、第１上フランジ２２と第２上フランジ３２とが面接合して一体化されている。尚、面接合は、スポット溶接等による部分的な接合も含む。
図４（ｃ）〜（ｅ）に示す構成材４Ｇは、第１上フランジ２２の先端に第２上フランジ３２の先端（折返し部）が係合し、図示しないビスやボルト・ナット、或いは溶接等により一体化される。このように第１構成材部２と第２構成材部３の上フランジ２２，３２は、重合するだけであっても、係止するものでも良く、この場合、別部材２，３の組み合わせ（位置決め）を容易に実施できる。
また、立ち上がり部４１の隙間には、補強用部材４６としてプレート状（図４（ｄ））、Ｌ型（図示せず）、Ｔ型（図４（ｅ））などのアングル材を配しても良い。この補強用部材４６により、ボルト締めを行う場合に、第１立ち上がり部２１や第２立ち上がり部３１の変形を防止できる。この補強用部材は、断熱、吸音、遮音、防耐火等の機能を有しても良い。また、荷重が集中するような部分等、特に強度が必要な部分には、立ち上がり部４１の隙間ばかりでなく、下フランジ４３の上下面にも表面補強用部材４７を取り付けるようにしても良い。
図４（ｆ）に示す構成材４Ｈは、上フランジ４２の途中に溝部４９形状を付加した。このように溝部４９を設けることにより、第１構成材部２と第２構成材部３の一体化の際の位置決めを容易に行うことができる。
【００２０】
図４（ｇ），（ｈ）に示す構成材４Ｈ，４Ｉは、一枚の金属板を成形・加工した構成であって、図４（ｇ）の構成材４Ｈは下フランジ４３が第２下フランジ１２３のみで構成され、図４（ｈ）の構成材４Ｉは下フランジ４３が第１下フランジ１１３のみで構成される。
図４（ｉ）〜（ｊ）に示す構成材４Ｊ，４Ｋは、上記図４（ｇ），（ｈ）の構成材４Ｈ，４Ｉと同一の断面形状を有するものであって、第２構成材部３の第２上フランジ３２の先端で第１構成材部２と線接合して一体化されている。そして、図４（ｉ）の構成材４Ｊは下フランジ４３が第２下フランジ３３のみで構成され、図４（ｊ）の構成材４Ｋは下フランジ４３が第１下フランジ２３のみで構成される。
このように下フランジ４３を一方のみに有する構成材４は、主に床構造の端部において一方（片側）だけに機能性体を配すれば良い場合に使用される。
上フランジ４２についても、第１上フランジ（１１２又は２２）と第２上フランジ（１２２又は３２）を重合して形成するばかりでなく、第１上フランジ２２のみ、或いは第２上フランジ３２のみで形成しても良い。
【００２１】
また、前述の図４（ｄ）に示す構成材４Ｆでは、立ち上がり部４１の隙間に、プレート状の補強用部材４６を挿入して強度を補強することを説明したが、構成材４を、それぞれ別々に成形・加工された別部材（第１構成材部２，第２構成材部３）を各種一体化手段により一体化して構成する態様においては、この補強用部材４６を、隙間形成部材として用いても良い。この補強用部材は前記充填材と同様に断熱、吸音、遮音、防耐火等の機能を有しても良い。
例えば図５（ａ）〜（ｄ）に示す構成材４Ｌ〜４Ｏは、断面Ｌ字状又は断面コ字状に成形した第１構成材部２と、断面略Ｚ字状又は断面略Ｌ字状に成形した第２構成材部３とを隙間形成部材４６を介して組み合わせることにより、それぞれ下段に示すような隙間を形成することができる。尚、図５は図１（ａ），図２（ａ）に対して２倍スケールで表記した。
【００２２】
また、構成材４の各部位の構成は、図示実施例に特に限定するものではない。
例えば図示実施例では、支持特性及び強度特性を考慮して、立ち上がり部４１を鉛直状とし、上フランジ４２、並びに下フランジ４３を水平状としたが、所定の支持強度を有するものであれば特にこれらに限定されるものではない。
【００２３】
以上本発明を図面の実施の形態に基づいて説明したが、本発明は前記実施の形態に限定されるものではなく、特許請求の範囲に記載の構成を変更しない限りどのようにでも実施することができる。
【００２４】
【発明の効果】
以上説明したように本発明の床構造及びその施工方法は、従来の根太や支持部材に代えて特定の構成を有する建築用構成材を用いて施工するものであって、建築用構成材に下フランジを設けて機能性体の下面端部を下フランジに支持させているので、機能性体を容易に敷設することができる。
【００２５】
さらに、床材裏面に配設する機能性体をボード状の暖房装置とした場合、暖房効果を有する床構造を得ることができる。
【００２６】
建築用構成材の立ち上がり部に通孔を設けた場合、受け材を支持する取付孔として、或いは建築物としての電気配線、その他の配線・配管などを通すための貫通孔として用いることもできる。また、空気等の連通路にもなる。
【図面の簡単な説明】
【図１】（ａ）本発明の床構造の一例を示す断面図、（ｂ）その要部を３倍に拡大した断面図である。
【図２】（ａ）本発明の床構造の他の一例を示す断面図、（ｂ）その要部を３倍に拡大した断面図である。
【図３】本発明に用いられる建築用構成材の他の一例を示す斜視図である。
【図４】（ａ）〜（ｊ）本発明に用いられる建築用構成材のバリエーションを示す断面図である。
【図５】（ａ）〜（ｄ）隙間形成部材を介して組み合わせて一体化する本発明に用いる建築用構成材のバリエーションを示す断面図、（ｅ）〜（ｆ）一部材で構成される本発明に用いる建築用構成材のバリエーションを示す断面図である。
【符号の説明】
１１１  第１立ち上がり部
１１２  第１上フランジ
１１３  第１下フランジ
１２１  第２立ち上がり部
１２２  第２上フランジ
１２３  第２下フランジ
２  第１構成材部
２１  第１立ち上がり部
２２  第１上フランジ
２３  第１下フランジ
３  第２構成材部
３１  第２立ち上がり部
３２  第２上フランジ
３３  第２下フランジ
４，４Ａ〜４Ｑ  （建築用）構成材
４１  立ち上がり部
４１１  通孔
４２  上フランジ
４３  下フランジ
５Ａ〜５Ｃ  機能性体
【図１】
2004232415.tif 000003
【図２】
2004232415.tif 000004
【図３】
2004232415.tif 000005
【図４】
2004232415.tif 000006
【図５】
2004232415.tif 000007